(57)【要約】【課題】開口が拡げられた状態を保持することができる包装体を提供する。【解決手段】包装体１は、第１側面フィルム１１と、第２側面フィルム１２と、底フィルム１３とを有するものである。包装体１は、周縁部２０と、収納部３０とを備えている。周縁部２０は、周縁シール部２１と、底シール部２２と、シール予定部２３とを含んでいる。第１側面フィルム１１および第２側面フィルム１２の少なくともいずれかは、包装体１の天地方向ＨＤに交差する幅方向ＷＤの中央に超延伸シートＳＳを含んでいる。超延伸シートＳＳの分子配向方向は、包装体１の幅方向ＷＤに沿っている。超延伸シートＳＳは、包装体１の天地方向ＨＤにおいて包装体１の一方端Ｅ１から周縁シール部２１と底シール部２２との境界よりも包装体１の他方端Ｅ２の近くまで延びている。【選択図】図１
2019142575.tif 000002
【特許請求の範囲】
【請求項１】
第１側面フィルムと、前記第１側面フィルムに向かい合う第２側面フィルムと、前記第１側面フィルムと前記第２側面フィルムとの間に配置された底フィルムとを有する包装体であって、
前記第１側面フィルムおよび前記第２側面フィルムの互いの周縁に配置された周縁部と、
前記周縁部に囲まれた収納部とを備え、
前記周縁部は、周縁シール部と、底シール部と、シール予定部とを含み、
前記周縁シール部は、前記第１側面フィルムおよび前記第２側面フィルムの互いの前記周縁の一部をシールしており、
前記底シール部は、前記第１側面フィルムおよび前記第２側面フィルムの各々と前記底フィルムとをそれぞれシールしており、
前記シール予定部は、前記第１側面フィルムおよび前記第２側面フィルムの互いの前記周縁の他部をシールしていない状態で前記包装体の外部と前記収納部とを連通しており、
前記第１側面フィルムおよび前記第２側面フィルムの少なくともいずれかは、前記包装体の天地方向に交差する幅方向の中央に超延伸シートを含み、
前記超延伸シートの分子配向方向は、前記包装体の前記幅方向に沿い、
前記超延伸シートは、前記包装体の前記天地方向において前記包装体の一方端から前記周縁シール部と前記底シール部との境界よりも前記包装体の他方端の近くまで延びている、包装体。
【請求項２】
前記第１側面フィルムおよび前記第２側面フィルムの少なくともいずれかは、前記包装体の前記幅方向と前記天地方向とが交差する平面の全面に前記超延伸シートを含んでいる、請求項１に記載の包装体。
【請求項３】
前記第１側面フィルムおよび前記第２側面フィルムの両方は、前記平面の前記全面に前記超延伸シートを含んでいる、請求項２に記載の包装体。
【請求項４】
前記収納部に収納された内容物をさらに備え、
前記内容物が前記収納部に収納された状態において、前記シール予定部では、前記第１側面フィルムおよび前記第２側面フィルムの互いの前記周縁の前記他部がシールされている、請求項１〜３のいずれか１項に記載の包装体。
【請求項５】
前記超延伸シートを含む前記第１側面フィルムおよび前記第２側面フィルムの少なくともいずれかが切断されることにより前記包装体の前記外部と前記収納部とを連通するように開口が設けられており、
前記開口は、前記超延伸シートの前記分子配向方向に沿って延びている、請求項４に記載の包装体。
【発明の詳細な説明】
【技術分野】
【０００１】
本発明は包装体に関するものである。
【背景技術】
【０００２】
従来、食品等の内容物を収納可能な包装体が提案されている。この包装体として、例えば、特開２００６−９６３８８号公報（特許文献１）には、内容物が充填された状態で自立可能なスタンディングパウチが記載されている。
【先行技術文献】
【特許文献】
【０００３】
【特許文献１】特開２００６−９６３８８号公報
【発明の概要】
【発明が解決しようとする課題】
【０００４】
上記公報に記載されたスタンディングパウチでは、開封用の切込みに沿ってスタンディングパウチの上部が切り取られることによって開口が形成される。開口は、開口が形成される前の表面フィルムと裏面フィルムとの間の隙間によって構成される。開口が形成された後に表面フィルムと裏面フィルムとの間の隙間が拡げられることによって開口が拡げられる。この場合でも、表面フィルムおよび裏面フィルムが元の形状に戻ろうとすることによって開口は再び狭くなる。そのため、開口が拡げられた状態を保持することはできない。したがって、開口から内容物を取り出すことは難しい。
【０００５】
本発明は上記課題に鑑みてなされたものであり、その目的は、開口が拡げられた状態を保持することができる包装体を提供することである。
【課題を解決するための手段】
【０００６】
本発明の包装体は、第１側面フィルムと、第２側面フィルムと、底フィルムとを有するものである。第２側面フィルムは第１側面フィルムに向かい合う。底フィルムは、第１側面フィルムと第２側面フィルムとの間に配置されている。包装体は、周縁部と、収納部とを備えている。周縁部は、第１側面フィルムおよび第２側面フィルムの互いの周縁に配置されている。収納部は、周縁部に囲まれている。周縁部は、周縁シール部と、底シール部と、シール予定部とを含んでいる。周縁シール部は、第１側面フィルムおよび第２側面フィルムの互いの周縁の一部をシールしている。底シール部は、第１側面フィルムおよび第２側面フィルムの各々と底フィルムとをそれぞれシールしている。シール予定部は、第１側面フィルムおよび第２側面フィルムの互いの周縁の他部をシールしていない状態で包装体の外部と収納部とを連通している。第１側面フィルムおよび第２側面フィルムの少なくともいずれかは、包装体の天地方向に交差する幅方向の中央に超延伸シートを含んでいる。超延伸シートの分子配向方向は、包装体の幅方向に沿っている。超延伸シートは、包装体の天地方向において包装体の一方端から周縁シール部と底シール部との境界よりも包装体の他方端の近くまで延びている。
【発明の効果】
【０００７】
本発明の包装体によれば、超延伸シートによって開口が拡げられた状態を保持することができる。
【図面の簡単な説明】
【０００８】
【図１】本発明の実施の形態１に係る包装体の構成を概略的に示す正面図である。
【図２】図１のＩＩ−ＩＩ線に沿う断面図である。
【図３】本発明の実施の形態１に係る包装体の構成を概略的に示す斜視図であって、内容物が収納部に収納された状態を示す図である。
【図４】本発明の実施の形態１に係る包装体の構成を概略的に示す斜視図であって、包装体が開口された状態を示す図である。
【図５】本発明の実施の形態１に係る包装体の開口が拡げられた状態を示す斜視図である。
【図６】本発明の実施の形態２に係る包装体の構成を概略的に示す正面図である。
【発明を実施するための形態】
【０００９】
以下、図面を参照して、本発明の実施の形態について説明する。なお、特に言及しない限り、以下の図面において、同一または相当する部分には同一の参照符号を付し、その説明を繰り返さない。また、各図中のドットが表示された領域はシールされた部分を示している。本発明の実施の形態において「シールする」とは、２つのフィルム同士を接着して２つのフィルム同士の間を気密に封止することを意味する。
【００１０】
（実施の形態１）
図１および図２を参照して、本発明の実施の形態１に係る包装体１の構成について説明する。図１および図２は、内容物１０が包装体１に収納される前の状態を示している。本実施の形態に係る包装体１は、第１側面フィルム１１と、第２側面フィルム１２と、底フィルム１３とを有している。第１側面フィルム１１および第２側面フィルム１２の各々は、例えば、第１側面フィルム１１および第２側面フィルム１２が互いに重なる方向から見て矩形の形状を有していてもよい。第２側面フィルム１２は、第１側面フィルム１１に向かい合うように配置されている。また、第１側面フィルム１１および第２側面フィルム１２の各々は、同一の寸法を有していてもよい。
【００１１】
底フィルム１３は、第１側面フィルム１１と第２側面フィルム１２との間に配置されている。底フィルム１３は、包装体１の天地方向（上下方向）ＨＤにおいて包装体１の下端から第１側面フィルム１１と第２側面フィルム１２との間に挿入されている。底フィルム１３は、２つ折りの状態で折り目から第１側面フィルム１１と第２側面フィルム１２との間に挿入されている。包装体１は、底フィルム１３を底として自立可能に構成されている。すなわち、包装体１は、スタンディングパウチである。
【００１２】
包装体１は、周縁部２０と、収納部３０とを備えている。周縁部２０は、第１側面フィルム１１および第２側面フィルム１２の互いの周縁に配置されている。周縁部２０は、周縁シール部２１と、底シール部２２と、シール予定部２３とを含んでいる。周縁シール部２１は、第１側面フィルム１１および第２側面フィルム１２の互いの周縁の一部をシールしている。本実施の形態では、周縁シール部２１は、包装体１の幅方向（左右方向）ＷＤにおいて包装体１の両側の側端に配置されている。
【００１３】
底シール部２２は、第１側面フィルム１１および第２側面フィルム１２の各々と底フィルム１３とをそれぞれシールしている。底シール部２２は、包装体１の天地方向ＨＤにおいて包装体１の下端に配置されている。シール予定部２３は、第１側面フィルム１１および第２側面フィルム１２の互いの周縁の他部をシールしていない状態で包装体１の外部と収納部３０とを連通している。すなわち、内容物１０が包装体１に収納される前の状態では、第１側面フィルム１１および第２側面フィルム１２の互いの周縁の一部はシールされており、他部はシールされていない。
【００１４】
シール予定部２３は、包装体１の外部から内容物１０を収納部３０に収納する際に内容物１０を通すためのものである。シール予定部２３は、内容物１０が収納部３０に収納される前の状態ではシールされていない。シール予定部２３は、包装体１の外部からシール予定部２３を通って内容物１０が収納部３０に収納された後にシールされる。本実施の形態では、シール予定部２３は、包装体１の天地方向ＨＤにおいて包装体１の上端に設けられている。なお、シール予定部２３の位置は包装体１の上端に限定されない。シール予定部２３は、例えば、包装体１の幅方向ＷＤにおいて包装体１の側端に設けられてもよい。
【００１５】
内容物１０が収納部３０に収納される前の状態では、包装体１の周縁部２０は、シールされた領域である周縁シール部２１および底シール部２２と、シールされていない領域であるシール予定部２３を有している。すなわち、内容物１０が収納部３０に収納される前の状態では、包装体１の周縁部２０は、シール予定部２３以外においてシールされている。包装体１の周縁部２０は、具体的には、例えば、熱溶着によりシールされていてもよい。
【００１６】
第１側面フィルム１１および第２側面フィルム１２の少なくともいずれかは、包装体１の天地方向ＨＤに交差する幅方向ＷＤの中央ＣＰに超延伸シートＳＳを含んでいる。つまり、第１側面フィルム１１および第２側面フィルム１２のいずれか一方が超延伸シートＳＳを含んでいてもよく、また第１側面フィルム１１および第２側面フィルム１２の両方が超延伸シートＳＳを含んでいてもよい。超延伸シートＳＳは、包装体１の幅方向ＷＤにおいて中心線ＣＬの両側に配置されている。超延伸シートＳＳは、包装体１の幅方向ＷＤの中央ＣＰに配置されていればよく、包装体１の幅方向ＷＤの両端には配置されていなくてもよい。
【００１７】
超延伸シートＳＳは、分子を一軸方向に配向させたものである。超延伸シートＳＳは、分子配向方向に沿う折り曲げ線を中心としては屈曲することが容易であり、分子配向方向に交差する折り曲げ線を中心としては屈曲することが困難であるとともに屈曲された状態で形状を保持することが可能に構成されている。したがって、第１側面フィルム１１および第２側面フィルム１２の少なくともいずれかのうち超延伸シートＳＳを含むものは、デッドホールド性を有する。このデッドホールド性とは屈曲された状態を保持する性質である。また、超延伸シートＳＳは、分子配向方向に沿って直線カット性が付与されている。この直線カット性とは、直線状に切断することが容易な性質である。超延伸シートＳＳは、例えば、ハイデンシティポリエチレン（ＨＤＰＥ）からなるシートである。ハイデンシティポリエチレン（ＨＤＰＥ）からなるシートの厚みは、例えば、２００μｍ以上４００μｍ以下である。
【００１８】
超延伸シートＳＳの分子配向方向は、包装体１の幅方向ＷＤに沿っている。超延伸シートＳＳは、包装体１の天地方向ＨＤにおいて包装体１の一方端（上端）Ｅ１から周縁シール部２１と底シール部２２との境界ＢＯよりも包装体１の他方端（下端）Ｅ２の近くまで延びている。なお、図１では、説明の便宜のため、包装体１の天地方向ＨＤでの境界ＢＯの高さ位置が一点鎖線で示されている。超延伸シートＳＳは、包装体１の天地方向ＨＤにおいて包装体１の一方端（上端）Ｅ１から他方端（下端）Ｅ２まで設けられていてもよい。
【００１９】
周縁シール部２１と底シール部２２との境界ＢＯとは、包装体１の天地方向ＨＤでの周縁シール部２１の下端であり、包装体１の天地方向ＨＤでの底シール部２２の上端である。言い換えると、周縁シール部２１と底シール部２２との境界ＢＯとは、包装体１の天地方向ＨＤでの第１側面フィルム１１、第２側面フィルム１２および底フィルム１３が積層された部分の上端である。
【００２０】
第１側面フィルム１１および第２側面フィルム１２の少なくともいずれかは、包装体１の幅方向ＷＤと天地方向ＨＤとが交差する平面の全面に超延伸シートＳＳを含んでいてもよい。つまり、超延伸シートＳＳは、第１側面フィルム１１および第２側面フィルム１２の少なくともいずれかにおいて全面に設けられていてもよい。第１側面フィルム１１および第２側面フィルム１２の両方は、当該平面の全面に超延伸シートＳＳを含んでいてもよい。つまり、超延伸シートＳＳは、第１側面フィルム１１および第２側面フィルム１２の両方において全面に設けられていてもよい。
【００２１】
第１側面フィルム１１、第２側面フィルム１２および底フィルム１３の各々は、積層体により構成されていてもよい。第１側面フィルム１１および第２側面フィルム１２の少なくともいずれかのうち超延伸シートＳＳを含むものは、超延伸シートＳＳとしてハイデンシティポリエチレン（ＨＤＰＥ）を含んでいる。第１側面フィルム１１および第２側面フィルム１２の少なくともいずれかのうち超延伸シートＳＳを含むものは、具体的には、例えば、シールされる側から第１のリニアローデンシティポリエチレン（ＬＬＤＰＥ）、ハイデンシティポリエチレン（ＨＤＰＥ）、第２のリニアローデンシティポリエチレン（ＬＬＤＰＥ）、透明蒸着ポリエチレンテレフタレート（ＰＥＴ）の各層が重ねられた構造を有していてもよい。また、これらの各層の厚みは、例えば、第１のリニアローデンシティポリエチレン（ＬＬＤＰＥ）が５０μｍであり、ハイデンシティポリエチレン（ＨＤＰＥ）が２００μｍであり、第２のリニアローデンシティポリエチレン（ＬＬＤＰＥ）が３０μｍであり、透明蒸着ポリエチレンテレフタレート（ＰＥＴ）が１２μｍであってもよい。
【００２２】
第１側面フィルム１１および第２側面フィルム１２のいずれかのうち超延伸シートＳＳを含まないもの並びに底フィルム１３は、具体的には、例えば、シールされる側からリニアローデンシティポリエチレン（ＬＬＤＰＥ）、ナイロン（ＮＹ）、透明蒸着ポリエチレンテレフタレート（ＰＥＴ）の各層が重ねられた構造を有していてもよい。また、これらの各層の厚みは、例えば、リニアローデンシティポリエチレン（ＬＬＤＰＥ）が１００μｍであり、ナイロン（ＮＹ）が２５μｍであり、透明蒸着ポリエチレンテレフタレート（ＰＥＴ）が１２μｍであってもよい。
【００２３】
収納部３０は内容物１０を収納するように構成されている。内容物１０は、例えば、焼き飯などの食品であってもよい。収納部３０は、周縁部２０に囲まれている。具体的には、第１側面フィルム１１から第２側面フィルム１２に向かう方向において、第１側面フィルム１１側から包装体１を見たときに、収納部３０は周縁部２０に囲まれている。すなわち、平面視（正面視）において、収納部３０は周縁部２０に囲まれている。
【００２４】
本実施の形態では、包装体１は、開封機構として切り込みＣＵを有している。切り込みＣＵは、包装体１の幅方向ＷＤの両端に設けられている。つまり、切り込みＣＵは、包装体１の幅方向ＷＤの一端１ａおよび他端１ｂにそれぞれ設けられている。切り込みＣＵは、包装体１の天地方向ＨＤにおいて一端１ａおよび他端１ｂにおいて同じ高さ位置に配置されていてもよい。切り込みＣＵは、包装体１の幅方向ＷＤの両端の各々において反対側の端に向かって直線状に延在している。なお、切り込みＣＵは、包装体１の幅方向ＷＤの両端のうちいずれか一方のみに設けられていてもよい。
【００２５】
切り込みＣＵは、超延伸シートＳＳの分子配向方向に沿って延びている。切り込みＣＵは、包装体１の天地方向ＨＤにおいて底シール部２２とシール予定部２３との間に配置されている。シール予定部２３がシールされた状態で、切り込みＣＵから包装体１の幅方向ＷＤに第１側面フィルム１１および第２側面フィルム１２が切断されることにより包装体１が開口される。
【００２６】
開口ＯＰは、内容物１０を取り出すためのものである。開口ＯＰは、包装体１の外部と収納部３０とを連通するように設けられる。なお、図１では、説明の便宜のため、開口ＯＰが一点鎖線で示されている。開口ＯＰは、包装体１の幅方向ＷＤの両端に設けられた切り込みＣＵの間で超延伸シートＳＳの分子配向方向に沿って形成される。開口ＯＰは、切り込みＣＵから包装体１の幅方向ＷＤに第１側面フィルム１１および第２側面フィルム１２が切断された後の包装体１の上端に配置される。つまり、開口ＯＰは、包装体１の天地方向ＨＤにおいて包装体１の一方端Ｅ１と他方端Ｅ２との間に配置される。
【００２７】
次に、図３を参照して、内容物１０が収納部３０に収納された状態における包装体１の構成について説明する。この状態では、包装体１は、収納部３０に収納された内容物１０をさらに備えている。内容物１０が収納部３０に収納された状態において、シール予定部２３では、第１側面フィルム１１および第２側面フィルム１２の互いの周縁の他部がシールされている。シール予定部２３では、具体的には、第１側面フィルム１１および第２側面フィルム１２は互いに熱溶着によりシールされていてもよい。これにより、全ての周縁部２０がシールされている。したがって、内容物１０が収納部３０に収納された状態において収納部３０は密閉されている。
【００２８】
次に、図４および図５を参照して、切り込みＣＵから包装体１の幅方向ＷＤに第１側面フィルム１１および第２側面フィルム１２が切断されることにより包装体１が開口した状態における包装体１の構成について説明する。この包装体１が開口した状態では、包装体１の天地方向ＨＤにおいて開口ＯＰよりも上端側の第１側面フィルム１１および第２側面フィルム１２の部分は切り取られている。この状態では、図３に示された状態と同様に、包装体１は、収納部３０に収納された内容物１０をさらに備えている。
【００２９】
図４に示されるように、包装体１の使用者によって、切り込みＣＵから包装体１の幅方向ＷＤに第１側面フィルム１１および第２側面フィルム１２が切断されることにより包装体１が開口される。超延伸シートＳＳを含む第１側面フィルム１１および第２側面フィルム１２の少なくともいずれかが切断されることにより包装体１の外部と収納部３０とを連通するように開口ＯＰが設けられていればよい。開口ＯＰは、超延伸シートＳＳの分子配向方向に沿って延びている。本実施の形態では、超延伸シートＳＳの分子配向方向は包装体１の幅方向ＷＤに沿っているため、開口ＯＰは包装体１の幅方向ＷＤに沿って延びている。
【００３０】
続いて、第１側面フィルム１１が超延伸シートＳＳを含んでいる場合を例として包装体１の開口ＯＰが拡げられる様子を説明する。包装体１が開口した後に、包装体１の使用者によって、図５中矢印Ａで示されるように、第１側面フィルム１１が第２側面フィルム１２と反対側に突出するように屈曲される。これにより、超延伸シートＳＳを含む第１側面フィルム１１は湾曲した状態に変形される。このとき、図５中矢印Ｂで示されるように、包装体１の天地方向ＨＤの上端において、周縁シール部２１は、包装体１の幅方向ＷＤにおける両端が互いに近づくように変形される。これにより、図５中矢印Ｃで示されるように、開口ＯＰを構成する第２側面フィルム１２は、第１側面フィルム１１が湾曲する方向に対して反対側に湾曲する。このようにして開口ＯＰが拡げられる。そして、この開口ＯＰが拡げられた状態で超延伸シートＳＳが形状を保持することにより、包装体１の天地方向ＨＤの上端に設けられた開口ＯＰの形状が保持される。このようにして開口ＯＰが拡げられた状態が保持される。
【００３１】
次に、本実施の形態に係る包装体の作用効果について説明する。
本実施の形態に係る包装体１によれば、第１側面フィルム１１および第２側面フィルム１２の少なくともいずれかは、包装体１の天地方向ＨＤに交差する幅方向ＷＤの中央に超延伸シートＳＳを含んでいる。超延伸シートＳＳの分子配向方向は、包装体１の幅方向ＷＤに沿っている。超延伸シートＳＳは、分子配向方向に沿う折り曲げ線を中心としては屈曲することが容易であり、分子配向方向に交差する折り曲げ線を中心としては屈曲することが困難であるとともに屈曲された状態で形状を保持することが可能である。したがって、超延伸シートＳＳは、第１側面フィルム１１と第２側面フィルム１２とが向かい合う方向に屈曲させた状態で形状を保持することが可能である。さらに、超延伸シートＳＳは、包装体１の天地方向ＨＤにおいて包装体１の一方端Ｅ１から周縁シール部２１と底シール部２２との境界よりも包装体１の他方端Ｅ２の近くまで延びている。このため、超延伸シートＳＳが屈曲された状態で開口ＯＰの形状を保持することができる。したがって、開口ＯＰが拡げられた状態を保持することができる。
【００３２】
また、包装体１の材料により開口ＯＰが拡げられた状態を保持することができるため、開口ＯＰが拡げられた状態を保持するために特別な構造物を設ける必要がない。したがって、簡易な構成により開口ＯＰが拡げられた状態を保持することができる。
【００３３】
また、第１側面フィルム１１および第２側面フィルム１２のいずれか一方が超延伸シートＳＳを含んでいる場合には、第１側面フィルム１１および第２側面フィルム１２の両方が超延伸シートＳＳを含んでいる場合に比べて超延伸シートＳＳを屈曲させる力が小さくなる。そのため、使用者は片手で超延伸シートＳＳを屈曲させることが容易である。したがって、使用者による操作性を向上させることができる。
【００３４】
また、第１側面フィルム１１および第２側面フィルム１２の両方が超延伸シートＳＳを含んでいる場合には、第１側面フィルム１１および第２側面フィルム１２の両方で開口ＯＰの形状を保持することができる。したがって、開口ＯＰが拡げられた状態をさらにしっかりと保持することができる。
【００３５】
本実施の形態に係る包装体１によれば、第１側面フィルム１１および第２側面フィルム１２の少なくともいずれかは、包装体１の幅方向ＷＤと天地方向ＨＤとが交差する平面の全面に超延伸シートＳＳを含んでいる。このため、第１側面フィルム１１および第２側面フィルム１２の少なくともいずれかにおいて当該平面の全面で超延伸シートＳＳを屈曲させることにより開口ＯＰが拡げられた状態を保持することができる。したがって、開口ＯＰが拡げられた状態をさらに十分に保持することができる。
【００３６】
また、超延伸シートＳＳが当該平面の全面に設けられているため、超延伸シートＳＳが当該平面の一部に設けられている場合に比べて、第１側面フィルム１１および第２側面フィルム１２の少なくともいずれかを製造することが容易である。このため、包装体１の生産性を向上させることができる。
【００３７】
本実施の形態に係る包装体１によれば、第１側面フィルム１１および第２側面フィルム１２の両方は、当該平面の全面に超延伸シートＳＳを含んでいる。このため、第１側面フィルム１１および第２側面フィルム１２の両方において当該平面の全面で超延伸シートＳＳを屈曲させることにより開口ＯＰが拡げられた状態を保持することができる。このため、開口ＯＰが拡げられた状態をさらに十分に保持することができる。
【００３８】
また、第１側面フィルム１１および第２側面フィルム１２に両方を同じ構成にすることが可能となる。したがって、第１側面フィルム１１および第２側面フィルム１２の両方に同じ材料を用いることができるため、包装体１の生産性を向上させることができる。
【００３９】
本実施の形態に係る包装体１によれば、内容物１０が収納部３０に収納された状態において、シール予定部２３では、第１側面フィルム１１および第２側面フィルム１２の互いの周縁の他部がシールされている。このため、内容物１０が収納部３０に収納された状態において、収納部３０を密閉することができる。
【００４０】
本実施の形態に係る包装体１によれば、開口ＯＰは、超延伸シートＳＳの分子配向方向に沿って延びている。超延伸シートＳＳは超延伸シートＳＳの分子配向方向に沿って切断することが容易であるため、開口ＯＰを形成することが容易である。つまり、包装体１の開封性を向上させることができる。
【００４１】
（実施の形態２）
図６を参照して、本発明の実施の形態２に係る包装体１の構成について説明する。本実施の形態に係る包装体１は、実施の形態１に係る包装体１に比べて、包装体１の外形が主に異なっている。具体的には、包装体１の幅方向ＷＤの両端の形状が主に異なっている。
【００４２】
包装体１は、包装体１の天地方向ＨＤにおいて下端から上端に向かって包装体１の幅方向ＷＤの幅が大きくなるように構成されている。すなわち、包装体１は、包装体１の天地方向ＨＤにおいて下端から上端に向かって包装体１の幅方向ＷＤの寸法が大きくなるテーパ形状を有している。また収納部３０も包装体１の天地方向ＨＤにおいて下端から上端に向かって包装体１の幅方向ＷＤの幅が大きくなるように構成されている。したがって、収納部３０の包装体１の幅方向ＷＤの断面における断面積は、包装体１の天地方向ＨＤにおいて下端から開口に向かって大きくなる。
【００４３】
本実施の形態に係る包装体１によれば、包装体１は、包装体１の天地方向ＨＤにおいて下端から上端に向かって包装体１の幅方向ＷＤの寸法が大きくなるテーパ形状を有しているため、開口が拡げられた状態でより安定する。
【００４４】
なお、上記の実施の形態１〜２は適宜組み合わせることができる。
【実施例】
【００４５】
以下、本発明の実施例について比較例と対比して説明する。なお、特に言及しない限り、実施例および比較例は、上記の実施の形態１〜２のいずれかに係る包装体と同様の構成を備えている。
【００４６】
実施例１〜２および比較例の各々の包装体を用いて、比較官能評価を実施した。実施例１〜２は本発明の実施例である。比較例は、本発明の実施例に対する比較例である。実施例１〜２および比較例の各々の包装体は、第１側面フィルムと、第２側面フィルムと、底フィルムとを有するスタンディングパウチである。実施例１〜２および比較例の各々の内容物は、焼き飯である。実施例１〜２および比較例の包装体では、包装体を外部と収納部とを連通するように開口させた状態で比較官能評価を行った。
【００４７】
実施例１〜２および比較例の各々の包装体は高さ方向において下端から上端に向かって包装体の幅方向の寸法が大きくなるテーパ形状を有している。実施例１〜２および比較例の各々の包装体の収納部には内容物が収納されている。実施例１〜２および比較例の各々の包装体の天地方向の全長は１２０ｍｍであり、包装体の上端での幅方向の全幅は１９０ｍｍであり、包装体の下端での幅方向の全幅は１７０ｍｍである。
【００４８】
実施例１〜２および比較例では第１側面フィルムおよび第２側面フィルムの構成が異なっている。実施例１では、第１側面フィルムは全面に超延伸シートとしてハイデンシティポリエチレン（ＨＤＰＥ）を含んでおり、第２側面フィルムは超延伸シートを含んでいない。実施例２では、第１側面フィルムおよび第２側面フィルムの両方は全面に超延伸シートとしてハイデンシティポリエチレン（ＨＤＰＥ）を含んでいる。
【００４９】
実施例１の第１側面フィルムならびに実施例２の第１フィルムおよび第２フィルムは、シールされる側から第１のリニアローデンシティポリエチレン（ＬＬＤＰＥ）、ハイデンシティポリエチレン（ＨＤＰＥ）、第２のリニアローデンシティポリエチレン（ＬＬＤＰＥ）、透明蒸着ポリエチレンテレフタレート（ＰＥＴ）の各層が重ねられた構造を有している。これらの各層の厚みは、第１のリニアローデンシティポリエチレン（ＬＬＤＰＥ）が５０μｍであり、ハイデンシティポリエチレン（ＨＤＰＥ）が２００μｍであり、第２のリニアローデンシティポリエチレン（ＬＬＤＰＥ）が３０μｍであり、透明蒸着ポリエチレンテレフタレート（ＰＥＴ）が１２μｍである。
【００５０】
実施例１〜２および比較例では底面フィルムの構成は同じである。底フィルムは、シールされる側からリニアローデンシティポリエチレン（ＬＬＤＰＥ）、ナイロン（ＮＹ）、透明蒸着ポリエチレンテレフタレート（ＰＥＴ）の各層が重ねられた構造を有していている。また、これらの各層の厚みは、リニアローデンシティポリエチレン（ＬＬＤＰＥ）が１００μｍであり、ナイロン（ＮＹ）が２５μｍであり、透明蒸着ポリエチレンテレフタレート（ＰＥＴ）が１２μｍである。また、実施例１の第２側面フィルムならびに比較例の第１側面フィルムおよび第２側面フィルムは底フィルムと同様の構成を備えている。つまり、比較例では、第１側面フィルムおよび第２側面フィルムの両方は超延伸シートを含んでいない。
【００５１】
比較官能評価の結果を表１に示す。表１に示されるように、比較官能評価では、開口性、開封性、中身の取出し易さ、総合評価の各々を評価した。開口性は、包装体の開口のし易さである。開封性は、包装体の開封のし易さである。中身の取出し易さは、内容物の取出し易さである。総合評価は、開口性、開封性、中身の取出し易さの平均値である。これらの評価は数字１〜５を用いて５段階で評価した。具体的には、最も悪い場合には１とし、最も良い場合には５とし、中間は３として評価した。評価者は５人とした。評価の数値は５人の平均値とした。
【００５２】
【表１】
2019142575.tif 000003
【００５３】
比較官能評価の結果、実施例１〜２の各々は比較例よりも、開口性、開封性、中身の取出し易さ、総合評価の全てが高くなった。実施例１〜２の各々は比較例に比べて包装体を開口することが容易となることがわかった。また、実施例１〜２の各々は比較例に比べて包装体を開封することが容易となることがわかった。また、実施例１〜３の各々は比較例に比べて開口から内容物を取り出すことが容易となることがわかった。さらに、実施例２は実施例１に比べて包装体を開口することが容易となることがわかった。
【００５４】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００５５】
１  包装体、１０  内容物、１１  第１側面フィルム、１２  第２側面フィルム、１３  底フィルム、２０  周縁部、２１  周縁シール部、２２  底シール部、２３  シール予定部、３０  収納部、ＣＵ  切り込み、Ｅ１  一方端、Ｅ２  他方端、ＨＤ  天地方向、ＯＰ  開口、ＳＳ  超延伸シート、ＷＤ  幅方向。
【図１】
2019142575.tif 000004
【図２】
2019142575.tif 000005
【図３】
2019142575.tif 000006
【図４】
2019142575.tif 000007
【図５】
2019142575.tif 000008
【図６】
2019142575.tif 000009